(57)【要約】【課題】ケージに嵌合され、係止板でロックされたモジュール部品のロックを外して確実に引き抜くことができるモジュール部品の抜去工具を提供する。【解決手段】先端にフック２３を備える第１の部材２１と、先端にブレード２４を備える第２の部材２２とを備えるＵ字状のモジュール部品の抜去工具２０であり、第１と第２の部材２１，２２の少なくとも一方には可撓性を持たせ、ケージ４に嵌合され、係止板４３でロックされたモジュール部品５のケージ４との隙間Ｃにブレード２４を差し込んで、係止板４３によるモジュール部品５のロックを外すと共に、フック２３をモジュール部品５の段差部５１に係合させ、第１の部材２１と第２の部材２２をケージ４から離れる方向に移動させることで、ケージ４からモジュール部品５を外すことが可能なモジュール部品の抜去工具２０である。【選択図】図１２
2017127950.tif 000002
【特許請求の範囲】
【請求項１】
ケージに嵌合され、係止板でロックされたモジュール部品の、前記ケージから露出する部分に設けられた段差部に係合可能なフックを先端部に備える第１の部材と、
前記第１の部材と後端部で接続し、前記フックが前記段差部に係合した時に前記モジュール部品と前記ケージの隙間に差し込まれ、前記係止板を押し上げてロックを外すブレードが先端部に設けられた第２の部材とを備え
前記フックが前記段差部に係合し、前記ブレードがロックを外した状態で前記第１の部材と前記第２の部材を前記ケージから離れる方向に移動させると、前記ケージから前記モジュール部品を外すことが可能なモジュール部品の抜去工具。
【請求項２】
前記第１の部材と前記第２の部材は金属製の板状部材で一体的に形成されており、後端部はＵ字状に形成され、前記フックと前記ブレードは先端部において対向している請求項１に記載のモジュール部品の抜去工具。
【請求項３】
前記第１の部材と前記第２の部材は可撓性を備えている請求項１または２に記載のモジュール部品の抜去工具。
【請求項４】
前記第１の部材と前記第２の部材は平行に形成されており、
前記ブレードを前記隙間に差し込んでいくと、前記モジュール部品の形状により、前記第１の部材の先端部と前記第２の部材との間隔が広がり、前記フックが前記段差部に係合する請求項３に記載のモジュール部品の抜去工具。
【請求項５】
前記第１の部材と前記第２の部材の間には、前記第２の部材側から押圧することにより前記第１の部材と前記第２の部材の先端部の間隔を広げることができるリリース部材が設けられている請求項４に記載のモジュール部品の抜去工具。
【発明の詳細な説明】
【技術分野】
【０００１】
本出願はモジュール部品の抜去工具に関する。
【背景技術】
【０００２】
従来、コンピュータや記憶装置等の電子機器と、電子機器から離れた位置にある送／受信機や演算装置等を光ケーブルで接続することがある。この場合、電子機器のプリント回路基板には光信号／電気信号の変換を行うモジュール部品が搭載され、このモジュール部品で光信号と電気信号とを相互に変換している。そして、モジュール部品で電気信号から光信号に変換された信号は、モジュール部品に接続する光ケーブルで電子機器から離れた位置にある送／受信機や演算装置等に送信される。逆に、電子機器から離れた位置にある送／受信機や演算装置等から電子機器に送信されてきた光信号は、モジュール部品で電気信号に変換されてプリント回路基板に伝達される。
【０００３】
そして、このようなモジュール部品の搭載構造の１つとして、モジュール部品が、プリント回路基板に実装された枠型のケージ付きコネクタに着脱可能に装着される光インターフェースがある。この光インターフェースの場合、電子機器の側面にはプリント回路基板に実装された枠型のケージ付きコネクタのケージの一端が開口している。モジュール部品を電子機器に装着する場合は、ケージの開口部にモジュール部品がスライド挿入されて嵌合される。ケージにはモジュール部品を嵌合状態でロックするロック機構があるので、ケージに挿入されたモジュール部品は容易には抜けない。一方、モジュール部品には、ケージとモジュール部品のロックを外すためのリリース機構があり、モジュール部品をケージから外す場合はリリース機構に外力を加えてロックを解除する。
【０００４】
図１は、モジュール部品５と光ケーブル７を用いた第１の電子機器１と第２の電子機器２の間の通信装置の構造を示す説明図である。第１の電子機器１と第２の電子機器２は、例えば、サーバ／ストレージ機器である。第１の電子機器１と第２の電子機器２には、それぞれ、ケージ４、モジュール部品５及び光コネクタ６とを備えるスイッチユニット３が内蔵されており、スイッチユニット３同士の間は光ケーブル７で接続されている。スイッチユニット３は、光ケーブルを通じて送受信される光信号を電気信号に変換するものである。なお、第１の電子機器１と第２の電子機器２のスイッチユニット３の部分の構造は同じであるので、以下に説明する比較技術並びに本出願の実施例では、第１の電子機器１におけるスイッチユニット３を代表して説明する。また、第１の電子機器１は以後単に電子機器１として説明する。
【０００５】
図２は、電子機器１に搭載されたモジュール部品５から光ケーブル７を取り外した状態を示す斜視図である。電子機器１には、電子機器１内に配置された回路基板（図示は省略）に実装されたケージ４が搭載されており、ケージ４にモジュール部品５が抜き差し可能に搭載される。光ケーブル７は、光コネクタ６により、モジュール部品５の端部に設けられた光コネクタ受入口５６に対して、抜き差しが可能になっている。光コネクタ６の構造は公知であるので、光コネクタ６の構造の説明は省略する。
【０００６】
図３（ａ）は、図２に示した電子機器１から取り出されたモジュール部品５に光ケーブル７が光コネクタ６によって接続している状態を示す斜視図である。また、図３（ｂ）は、図３（ａ）に示したモジュール部品５から光コネクタ６を抜いて、光ケーブル７とモジュール部品５を分離した状態を示す斜視図である。更に、図４（ａ）は、モジュール部品５の一例の側面図であり、図４（ｂ）は図４（ａ）に示したモジュール部品５の平面図である。モジュール部品５には、後に詳述するレバー装置１０によって昇降するテーパ部１５と、モジュール部品５をケージ４にロックするための係止突起５２が設けられている。レバー装置１０には回転軸１１を中心にして回転できるロック解除レバー１３がある。
【０００７】
図５は、電子機器１に搭載されてモジュール部品５を収容するケージ４の一例の斜視図である。ケージ４は金属製の部品である。ケージ４の本体４０には、ケージ４を回路基板に実装するための取付脚４１と、図４で説明したモジュール部品５をケージ４の内部に受け入れる開口部４４がある。開口部４４の取付脚４１がある側の壁面には、ケージ４内に挿入されたモジュール部品５をロックするための係止板４３がある。係止板４３は、ケージ４の中央側が片持ちされて開口部４４側が揺動可能な舌状であり、中央部には、モジュール部品５に突設された係止突起５２を受け入れるための係止突起嵌合孔４２が設けられている。
【０００８】
図６（ａ）は、電子機器１に内蔵された回路基板８に実装されたケージ４の開口部４４に、モジュール部品５が挿入される直前の状態を示す側面図である。モジュール部品５は、レバー装置１０のロック解除レバー１３がハウジング５０に重ねられた状態で、且つ、係止突起５２が上側に位置する状態で、開口部４４からケージ４にスライド挿入される。図６（ｂ）は、図６（ａ）に示したケージ４にモジュール部品５が完全に挿入されて搭載された状態を示す側面図である。この状態では、モジュール部品５のロック解除レバー１３側のハウジング５０の一部が電子機器１の外に突出しており、モジュール部品５の段差部５１は、電子機器１の筐体の外側に、所定間隔を隔てて露出している。
【０００９】
図６（ｃ）は、図６（ｂ）に示した状態から、モジュール部品５を取り外す状態を示す側面図である。ケージ４からモジュール部品５を取り外す場合は、まず、ロック解除レバー１３を回転させてハウジング５０から引き上げて水平にする。ロック解除レバー１３を水平位置まで回転させて引っ張ると、後述するリリース機構により、モジュール部品５の係止突起と、ケージ４の係止板４３とのロックが外れる。よって、図６（ｃ）に示す状態でモジュール部品５を水平方向に引っ張ると、図６（ｄ）に示すように、モジュール部品５をケージ４から引き抜くことができる。
【００１０】
図７（ａ）は、モジュール部品５に設けられたレバー装置１０のロック解除レバー１３とスライドロッド１４の形状を示す斜視図である。レバー装置１０は、本体１２と、本体１２に設けられた回転軸１１を中心にして回転できるロック解除レバー１３、及び本体１２からロック解除レバー１３の反対側に突出する２本のスライドロッド１４とを備える。スライドロッド１４の自由端にはテーパ部１５が形成されている。ロック解除レバー１３を回転軸１１を中心にして回転させて引っ張り、スライドロッド１４を図７（ｂ）に示す実線位置から二点鎖線位置まで移動させると、スライドロッド１４は矢印Ｒ方向に移動して、テーパ部１５が二点鎖線の位置まで移動する。
【００１１】
図７（ｃ）は、ロック解除レバー１３が引き上げられていない状態における、ロック解除レバー１３と係止板４３及び係止突起５２との関係を示す部分拡大断面図である。ロック解除レバー１３が引き上げられていない状態では、スライドロッド１４の自由端に形成されたテーパ部１５は、モジュール部品５のハウジング５０に形成されたテーパ部受入溝５５に収容されている。テーパ部受入溝５５には、テーパ部１５を受け入れるための斜面５３が形成されており、テーパ部１５がテーパ部受入溝５５に収容されることにより、スライドロッド１４がモジュール部品５のハウジング５０の上面５４に平行になる。また、テーパ部１５がテーパ部受入溝５５に収容された状態では、ケージ４の係止板４３はテーパ部１５の近傍に位置しており、ハウジング５０の上面５４に突設された係止突起５２の先端部が係止板４３の係止突起嵌合孔４２内に挿入されている。係止突起５２の先端部が係止板４３の係止突起嵌合孔４２内に挿入されていることで、モジュール部品５はケージ４にロックされ、引き抜くことができない。
【００１２】
そして、ロック解除レバー１３が図７（ｂ）に破線で示す位置まで引き上げられて引っ張られると、図７（ｄ）に示すようにスライドロッド１４が矢印Ｒ方向に移動し、テーパ部受入溝５５内のテーパ部１５が斜面５３に沿って上昇してテーパ部受入溝５５から出ていく。テーパ部１５が斜面５３に沿って上昇すると、テーパ部１５の斜面５３と反対側に位置する部分が係止板４３を押し上げる。すると、係止板４３による係止突起５２のロックが解除されるので、この状態ではモジュール部品５のケージ４からの引き抜きが可能である。
【００１３】
図８（ａ）から（ｆ）は、ケージ４にモジュール部品５が挿入されてロックされる状態、及びケージ４からモジュール部品５を引き抜く際の、係止板４３と係止突起５２の動作を説明するものである。ケージ４にモジュール部品５が挿入される時は、図８（ａ）、（ｂ）に示すように、係止突起５２の斜面で係止板４３が押し上げられる。ケージ４にモジュール部品５が完全に挿入された状態では、図８（ｃ）、（ｄ）に示すように、係止突起５２が係止板４３にある係止突起嵌合孔４２の中に入り、係止板４３が係止突起５２によって押し上げられる前の位置に戻る。この結果、モジュール部品５が係止板４３でロックされ、ケージ４から抜けなくなる。
【００１４】
ケージ４からモジュール部品５を外す時は、図７で説明したように、レバー装置１０のロック解除レバー１３を引き上げて引っ張る。すると、図７（ｄ）で説明したスライドロッドのテーパ部１５の動作により、図８（ｅ）、（ｆ）に示すように、ハウジング５０の上面５４からテーパ部１５が上昇して係止板４３を押し上げるので、モジュール部品５の係止板４３によるロックが解除される。この状態でモジュール部品５を更に引っ張れば、ケージ４から取り出すことができる。
【先行技術文献】
【特許文献】
【００１５】
【特許文献１】特開平５−３０９５７５号公報
【発明の概要】
【発明が解決しようとする課題】
【００１６】
ところが、ケージとモジュール部品との組合せにおいて、ケージの係止板の寸法とモジュール部品の係止突起の寸法が双方規格内であっても、ロックを外せなくなる不具合を生じ、モジュール部品を抜去できなくなる問題が起こる場合があった。例えば、レバー装置のロック解除レバーを引き上げて引っ張っても、テーパ部が十分に係止板を上昇させられなかった場合にこの問題が生じる。この場合、モジュール部品を無理にケージから抜去しようとすると、ケージにある係止板の嵌合部分の板金に返り変形が生じ、なおさら嵌合が外れなくなる場合もあった。
【００１７】
そして、レバー装置のロック解除レバーの引き上げ操作をして引っ張ってもモジュール部品がケージから抜去できなくなった場合は、係止板を外部からピンセットなどの道具を用いて強制的に持ち上げた状態でモジュール部品を引き抜く作業を強いられた。このような道具を用いた係止板の持ち上げ作業は、繊細な作業のため熟練を要し、ともするとケージの係止板の嵌合部分を変形させ破損してしまう課題があった。また、ピンセットでモジュールをケージから抜去できた際にも、モジュールを不意に落下させてしまう危険があった。
【００１８】
１つの側面では、ケージに嵌合され、係止板でロックされたモジュール部品を、外部から簡単に把持することができ、把持した状態でロックが外れて容易にモジュール部品を引き抜くことができるモジュール部品の抜去工具を提供することを目的とする。
【課題を解決するための手段】
【００１９】
１つの形態によれば、ケージに嵌合され、係止板でロックされたモジュール部品の、ケージから露出する部分に設けられた段差部に係合可能なフックを先端部に備える第１の部材と、第１の部材と後端部で接続し、先端部にはフックが段差部に係合した時にモジュール部品とケージの隙間に差し込まれ、係止板を押し上げてロックを外すブレードが設けられた第２の部材とを備え、フックが段差部に係合し、ブレードがロックを外した状態で第１の部材と第２の部材をケージから離れる方向に移動させると、ケージからモジュール部品を外すことが可能なモジュール部品の抜去工具が提供される。
【発明の効果】
【００２０】
開示のモジュール部品の抜去工具によれば、ケージに嵌合され、係止板でロックされたモジュール部品を簡単に把持することができ、把持した状態でロックを外して容易に引き抜くことができるという効果がある。
【図面の簡単な説明】
【００２１】
【図１】モジュール部品と光ケーブルを用いた電子機器間の通信装置の構造を示す説明図である。
【図２】電子機器に搭載されたモジュール部品から光ケーブルを取り外した状態を示す斜視図である。
【図３】（ａ）は、電子機器から取り出されたモジュール部品に光ケーブルがコネクタで接続している状態を示す斜視図、（ｂ）は、（ａ）に示したモジュール部品から光ケーブルを取り外した状態を示す斜視図である。
【図４】（ａ）はモジュール部品の一例の側面図、（ｂ）は（ａ）に示したモジュール部品の平面図である。
【図５】電子機器の回路基板に実装されてモジュール部品を収容するケージの一例を示す斜視図である。
【図６】（ａ）は、電子機器の回路基板に実装されたケージの開口部にモジュール部品が挿入される直前の状態を示す側面図、（ｂ）は、（ａ）に示したケージにモジュール部品が嵌合した状態を示す側面図、（ｃ）は、（ｂ）に示した状態から、モジュール部品を取り外すためにモジュール部品に設けられたロック解除レバーを引き上げた状態を示す側面図、（ｄ）は、ロック解除レバーを引き上げた状態で、ケージからモジュール部品を引き抜く状態を示す側面図である。
【図７】（ａ）は、モジュール部品に設けられたレバー装置の構造の一例を示す斜視図、（ｂ）は、ロック解除レバーを引き上げて引っ張った時のスライドロッドの動作を示す概略側面図、（ｃ）は、ロック解除レバーが引き上げられていない状態における、ハウジング、スライドロッド及び係止板の関係を示す部分拡大断面図、（ｄ）は、ロック解除レバーが引き上げられて引っ張られた時の、スライドロッドと係止板の動作を説明する部分拡大断面図である。
【図８】（ａ）は、ケージにモジュール部品が挿入された時の要部の側断面図、（ｂ）は（ａ）に示した状態の斜視図、（ｃ）は、ケージにモジュール部品が挿入されて嵌合し、ロックされた時の要部の側断面図、（ｄ）は、（ｃ）に示した状態の斜視図、（ｅ）はは、ロック解除レバーが引き上げられて、係止板によるモジュール部品のロックが解除された時の要部の側断面図、（ｆ）は（ｅ）に示した状態の斜視図である。
【図９】（ａ）は、第１の実施例のモジュール部品の抜去工具の平面図、（ｂ）は、（ａ）に示した抜去工具の側面図、（ｃ）は、（ａ）に示した抜去工具の底面図である。
【図１０】ケージに嵌合されたモジュール部品に、図９に示した抜去工具を嵌め合わせる直前の状態を示す側断面図である。
【図１１】（ａ）は、図１０に示した状態から、抜去工具がモジュール部品に嵌め合わされていく途中の状態を示す側断面図、（ｂ）は、（ａ）に示した状態の要部拡大側断面図、（ｃ）は（ｂ）に示した状態の斜視図である。
【図１２】（ａ）は、図１１に示した状態から、抜去工具がモジュール部品に嵌め合わされて係止板が押し上げられた状態を示す側断面図、（ｂ）は、（ａ）に示した状態の要部拡大側断面図、（ｃ）は（ｂ）に示した状態の斜視図、（ｄ）は（ａ）に示した状態からモジュール部品と抜去工具のみを取り出して示す側断面面である。
【図１３】（ａ）は、図１２（ｂ）に示した状態から抜去工具によりモジュール部品が引き抜かれていく状態を示す要部拡大側断面図、（ｂ）は（ａ）に示した状態の斜視図、（ｃ）は、ケージからモジュール部品が抜去工具により引き出されていく状態を示す側断面図である。
【図１４】（ａ）は、第２の実施例のモジュール部品の抜去工具の平面図、（ｂ）は、（ａ）に示した抜去工具の側面図、（ｃ）は、（ｂ）に示した抜去工具の正面図である。
【図１５】（ａ）は、第２の実施例の抜去工具において、押圧部を押す前と押した後の状態を比較して示す側面図、（ｂ）は、第２の実施例の抜去工具において、押圧部を押す前と押した後の状態を比較して示す正面図、（ｃ）は、第２の実施例の抜去工具において、押圧部を押す前と押した後の状態を比較して示す平面図である。
【図１６】（ａ）は、第３の実施例のモジュール部品の抜去工具の側面図、正面図、及び平面図、（ｂ）は、第３の実施例の抜去工具において、押圧部が押された状態の側面図、正面図、及び平面図である。
【図１７】（ａ）は、ノブが設けられた第３の実施例の変形例の抜去工具の平面図、（ｂ）は、ノブが設けられた第３の実施例の変形例の抜去工具の側面図、（ｃ）は、ノブが設けられた第３の実施例の変形例の抜去工具の正面図、（ｄ）は、ノブが設けられた第３の実施例の変形例の抜去工具の底面図である。
【図１８】第２の実施例の押圧部の取り付け方の変形例を示す断面図である。
【図１９】第４の実施例の抜去工具の側面図である。
【図２０】（ａ）は第５の実施例の抜去工具の側面図、（ｂ）は（ａ）に示した抜去工具においてリングをモジュール部品を把持できる位置に移動させた時の側面図、（ｃ）は（ｂ）に示した抜去工具の正面図である。
【図２１】第６の実施例の抜去工具の側面図である。
【図２２】第７の実施例の抜去工具の側面図である。
【発明を実施するための形態】
【００２２】
以下、添付図面を用いて本出願のモジュール部品の抜去工具の実施の形態を、具体的な実施例に基づいて詳細に説明する。なお、開示の抜去工具を用いて抜去するモジュール部品とモジュール部品が嵌合されるケージの構造は、図１から図８を用いて説明したモジュール部品とケージの構造と同じであるので、同じ部品には同じ符号を付してその説明を省略する。
【００２３】
図９（ａ）は、第１の実施例のモジュール部品５の抜去工具２０の平面図、図９（ｂ）は、図９（ａ）に示した抜去工具２０の側面図、図９（ｃ）は、図９（ａ）に示した抜去工具２０の底面図であり、モジュール部品５と共に図示してある。第１の実施例の抜去工具２０は、第１の部材２１と、第２の部材２２、ガイド板２５、ノブ２６及び取付ネジ２７を備えている。本実施例では、第１の部材２１と第２の部材２２は一体的に形成されている。即ち、本実施例では、第１の部材２１と第２の部材２２は、取付ネジ２７に挿通される金属製のベース部２９の対向位置に突設された２本の細板状部材が折り曲げられて平行になったものである。第１の部材２１と第２の部材２２は可撓性を備える。第１の部材２１と第２の部材２２は別体でも良く、また、第１の部材２１と第２の部材２２は、少なくとも一方が可撓性を備えれば良い。
【００２４】
第１の部材２１の先端部にはフック２３が設けられている。フック２３は、ケージに嵌合され、係止板でロックされたモジュール部品５の、ケージから露出する部分に設けられた段差部５１に係合可能になっている。第２の部材２２の先端部にはブレード２４が設けられている。ブレード２４は、第１の部材２１に設けられたフック２３が段差部５１に係合した時に、モジュール部品５ケージの隙間に差し込まれ、ケージに設けられた係止板を押し上げる動作を行う。フック２３とブレード２４は、第１の部材２１と第２の部材２２の先端部において対向している。
【００２５】
第１の実施例の抜去工具２０に設けられたガイド板２５は、第１と第２の部材２１、２２の間の空間を両側から挟むように設けられており、１枚の金属板がＵ字状に折り曲げて形成されている。本実施例では、ガイド板２５の折り曲げ部２５Ｃは、第１の部材２１と第２の部材２２のベース部２９に重ね合わされ、取付ネジ２７でノブに固定されている。ガイド板２５の先端部は第１と第２の部材２１、２２の先端部に届き、ブレード２４をモジュール部品５とケージの間の隙間に差し込む際のガイドとなる。ガイド板２５の間隔は、ケージに嵌合されてケージから露出するモジュール部品５の幅と同程度であり、フック２３とブレード２４のモジュール部品５の把持動作を妨げない間隔である。また、ガイド板２５は、抜去工具２０がモジュール部品５を把持した時に、モジュール部品５を四方から挟んで、モジュール部品５が脱落しないように保持する機能も有する。
【００２６】
第１の実施例では、前述のように、ガイド板２５の折り曲げ部２５Ｃと第１の部材２１と第２の部材２２のベース部２９は重ね合わされ、取付ネジ２７でノブ２６に取り付けられている。ノブ２６はモジュール部品５をケージから引き抜く時に抜去工具２０を持ちやすくするために設けられている。抜去工具２０にノブ２６は特に設けられていなくても良い。
【００２７】
図１０は、ケージ４に嵌合されたモジュール部品５に、図９に示した抜去工具２０を嵌め合わせる直前の状態を示す側断面図である。抜去工具２０を用いてモジュール部品５をケージ４から引き抜く際には、モジュール部品５のロック解除レバー１３をモジュール部品５から引き上げた状態で行う。
【００２８】
図１１（ａ）は、図１０に示した状態から、抜去工具２０がモジュール部品５に嵌め合わされていく途中の状態を示す側断面図である。また、図１０（ｂ）は、図１０（ａ）に示した状態の要部拡大側断面図であり、図１０（ｃ）は図１０（ｂ）に示した状態の斜視図である。モジュール部品５のケージ４から露出する部分にはテーパが付されているので、このテーパにより第１の部材２１が撓み、抜去工具２０のフック２３はモジュール部品５の底面に達することができる。モジュール部品５がケージ４に嵌合している状態では、図１１（ｂ）、（ｃ）に示すように、モジュール部品５の上面に設けられている係止突起５２が、ケージ４の係止板４３に設けられている係止突起嵌合孔４２の中に入り込んでいる。
【００２９】
図１２（ａ）は、図１１に示した状態から、抜去工具２０がモジュール部品５に嵌め合わされて係止板４３が押し上げられた状態を示す側断面図である。また、図１２（ｂ）は図１２（ａ）に示した状態の要部拡大側断面図であり、図１２（ｃ）は図１２（ｂ）に示した状態の斜視図である。更に、図１２（ｄ）は図１２（ａ）に示した状態からモジュール部品５と抜去工具２０のみを取り出して示す側断面面である。係止板４３が抜去工具２０の第２の部材２２に設けられたブレード２４によって押し上げられた状態は、図１２（ｂ）及び図１２（ｃ）に詳細に示される。抜去工具２０をモジュール部品５とケージ４の隙間Ｃに挿入していくと、第２の部材２２の先端部にあるブレード２４が係止板４３の下に潜り込み、係止板４３がブレード２４の斜面によって押し上げられる。
【００３０】
係止板４３がブレード２４によって押し上げられると、図１２（ｂ）に示すように、係止板４３の下面のモジュール部品５の上面５４からの高さが、モジュール部品５に突設された係止突起５２の高さを超える。従って、ケージ４とモジュール部品５の間に抜去工具２０を差し込むことにより、モジュール部品５とケージ４とのロック状態が解除される。
【００３１】
図１３（ａ）は、図１２（ｂ）に示した状態から抜去工具２０によりモジュール部品５が引き抜かれていく状態を示す要部拡大側断面図である。また、図１３（ｂ）は図１３（ａ）に示した状態の斜視図であり、図１３（ｃ）は、ケージ４からモジュール部品５が抜去工具により引き出されていく状態を示す側断面図である。フック２３が段差部５１に係合し、ブレード２４がロックを外した状態で第１の部材２１と第２の部材２２をケージ４から離れる方向に移動させると、ケージ４からモジュール部品５を外すことができる。
【００３２】
このように、第１の実施例の抜去工具２０によれば、抜去工具２０のブレード２４をケージ４とモジュール部品５の間の隙間に差し込んでいけば、フック２３が簡単にモジュール部品５の段差部５１に係合する。フック２３がモジュール部品５の段差部５１に係合した状態では、ブレード２４がケージ４の係止板４３を押し上げて、係止板４３によるモジュール部品５のロックを解除している。よって、この状態で抜去工具２０をケージ４から離れる方向に移動させれば、ケージ４からモジュール部品５を安全確実に抜去することができる。抜去工具２０によって把持されたモジュール部品５は、抜去工具２０の第１の部材２１と第２の部材２２の間隔を広げることにより取り出すことができる。
【００３３】
図１４（ａ）は、第２の実施例のモジュール部品５の抜去工具２０の平面図であり、図１４（ｂ）は、図１４（ａ）に示した抜去工具２０の側面図、図１４（ｃ）は、図１４（ｂ）に示した抜去工具２０の正面図である。第２の実施例の抜去工具２０では、第１と第２の部材２１，２２のベース部２９とガイド板２５の折り曲げ部２５Ｃの重ね合わせ部にノブ２６と取付ネジ２７が設けられていない。更に、第２の実施例の抜去工具２０では、第１と第２の部材２１，２２の長手方向の中央部にリリース部材３０が設けられている。第１と第２の部材２１，２２のベース部２９とガイド板２５の折り曲げ部２５Ｃは、溶接或いは接着によって重ね合わせることができる。
【００３４】
リリース部材３０は、第２の部材２２側から押圧することにより、第１と第２の部材２１，２２の先端部の間隔を広げて、第１と第２の部材２１，２２が把持したモジュール部品５を抜去工具２０から取り外すものである。本実施例のリリース部材３０は、第１の部材２１に固着される取付部３３と、取付部３３の両端部から第２の部材２２側に延伸された側壁部３２と、第２の部材２２の第１の部材２１の反対側において側壁部３２の先端部同士を接続する押圧部３１とを備える。
【００３５】
押圧部３１と第２の部材２２との間隔は、押圧部３１を第１の部材２１を撓ませて第２の部材２２に接近させた時に、フック２３が段差部５１との係合を解除する位置まで移動できる間隔である。リリース部材３０の押圧部３１の第２の部材２２の長手方向に直交する方向の長さは、取付部３３の第１の部材２１の長手方向に直交する方向の長さよりも長く、側壁部３２はガイド板２５と第２の部材２２の間の隙間を通っている。このため、押圧部３１を第２の部材２２に接近させた時に、側壁部３２により対向するガイド板２５の間隔を広げることができる。
【００３６】
図１５（ａ）は、第２の実施例の抜去工具２０において、押圧部３１を押す前と押した後の状態を比較して示す側面図である。また、図１５（ｂ）は、第２の実施例の抜去工具２０において、押圧部３１を押す前と押した後の状態を比較して示す正面図である。更に、図１５（ｃ）は、第２の実施例の抜去工具２０において、押圧部３１を押す前と押した後の状態を比較して示す平面図である。このように、押圧部３１を押すことにより、抜去工具２０の第１と第２の部材２１、２２の先端部の間、及び２枚のガイド板２５の先端部の間が広がるので、抜去工具２０が把持したモジュール部品を容易に抜去工具２０から外すことができる。
【００３７】
図１６（ａ）は、第３の実施例のモジュール部品５の抜去工具２０の側面図、正面図、及び平面図を示している。また、図１６（ｂ）は、第３の実施例の抜去工具２０において、押圧部３１が押された状態の側面図、正面図、及び平面図である。第３の実施例の抜去工具２０が第２の実施例の抜去工具２０と異なる点は、リリース部材３０の取付部３３の構造である。第２の実施例の抜去工具２０では、側壁部３２が第１の部材２１の側面に固着されていたが、第３の実施例の抜去工具２０では、側壁部３２の第１の部材２１への取付部３３に、先端部にストッパ３５を備えるロック板３４が設けられている点が異なる。
【００３８】
ロック板３４は取付部３３から両側のガイド板２５に向かって延伸されており、先端部に設けられたストッパ３５は、押圧部３１が押されない状態では、ガイド板２５の外側に位置してガイド板２５が広がるのを防止している。ストッパ３５によりガイド板２５の広がりが防止されると、モジュール部品５が抜去された後に脱落しないように保持することができる。即ち、ストッパ３５は、ガイド板２５の保持力を維持固定する機能を備える。押圧部３１が押されると、ストッパ３５は下方に移動するので、ガイド板２５は外側に広がることができる。また、押圧部３１が押されなくなると、ストッパ３５は元の位置に戻り、ガイド板２５が広がるのを防止する。
【００３９】
図１７（ａ）は、ノブ２６と取付ネジ２７が設けられた第３の実施例の変形例の抜去工具２０の平面図であり、図１７（ｂ）は、ノブ２６と取付ネジ２７が設けられた第３の実施例の変形例の抜去工具２０の側面図である。また、図１７（ｃ）は、ノブ２６と取付ネジ２７が設けられた第３の実施例の変形例の抜去工具２０の正面図であり、図１７（ｄ）は、ノブ２６と取付ネジ２７が設けられた第３の実施例の変形例の抜去工具２０の底面図である。本実施例の抜去工具２０は、第３の実施例の第１と第２の部材２１，２２のベース部２９とガイド板２５の折り曲げ部２５Ｃが、取付ネジ２７でノブ２６に取り付けられたものである。第３の実施例の変形例の抜去工具２０の動作は、第３の実施例の抜去工具２０と変わらないので、これ以上の説明を省略する。
【００４０】
図１８は、第２の実施例における抜去工具２０の押圧部３１の取り付け方の変形例を示す断面図である。本実施例では、側壁部３２の下端部が第１の部材２１の下面に重ね合わされて重ね合わせ部３６になっており、重ね合わせ部３６がネジ３７によって第１の部材２１に取り付けられている。その他の点は第２の実施例と同じである。
【００４１】
図１９は、第４の実施例の抜去工具２０の側面図である。第４の実施例の抜去工具２０は、第１の部材２１と第２の部材２２が別体の金属製の細板状部材で形成されている。第４の実施例の抜去工具２０にはガイド板は設けられていない。そして、第１の部材２１と第２の部材２２は別体であり、その後端部においてスペーサ２８を用いて結合されている。スペーサ２８は金属製でも樹脂製でも良い。フック２３とブレード２４が、第１の部材２１と第２の部材２２の先端部において対向している点は他の実施例と同様である。
【００４２】
図２０（ａ）は第５の実施例の抜去工具２０の側面図であり、図２０（ｂ）は図２０（ａ）に示した抜去工具２０においてリング９をモジュール部品を把持できる位置に移動させた時の側面図である。金属製の細板状部材からなる第１の部材２１と第２の部材２２は一体であり、ベース部２９で接続されている。リング９は、図２０（ｃ）に示すように、例えば円形であり、第１と第２の部材２１，２２の外側に設けられている。第５の実施例の抜去工具２０にはガイド板は設けられていない。リング９を第１と第２の部材２１，２２の後端側に移動させれば第１と第２の部材２１，２２の先端側が開く。逆に、リング９を第１と第２の部材２１，２２の先端側に移動させれば第１と第２の部材２１，２２の先端側が閉じる。リング９の形状は円形でなくても良く、第１と第２の部材２１，２２の外側を周回する形状であれば良い。
【００４３】
図２１は、第６の実施例の抜去工具２０の側面図である。本実施例では、リリース部材３０が、第１の部材２１に突設されたロッド６２と、第２の部材２２に設けられてロッドを挿通する貫通孔６１と、ロッド６２の先端部に設けられたボタン部６３とを備えている。ボタン部６３と第２の部材２２との間隔Ｈは、ボタン部６３を第１の部材２１を撓ませて破線で示す位置まで第２の部材２２に接近させた時に、フック２３が段差部５１の高さｈを超えて移動できる間隔とすれば良い。ボタン部６３を破線で示す位置まで移動させると、第１の部材２１の先端部が破線で示す位置まで移動するので、第１と第２の部材２１，２２で把持したモジュール部品５を抜去工具２０から取り外すことができる。
【００４４】
図２２は、第７の実施例の抜去工具２０の側面図である。本実施例では、リリース部材３０は、先端部が第２の部材２２に設けられた貫通孔６１を挿通して第１の部材２１に接し、後端部が第２の部材２２から突出するロッド６４と、ロッド６４の後端部に設けられたボタン部６５とを備える。ボタン部６５は、弾性部材であるバネ６６により、第２の部材２２から離れた位置に保持されている。ボタン部６５と第２の部材２２との間隔Ｈは、ボタン部６５を第１の部材２１を撓ませて第２の部材２２に接近させた時に、フック２３が段差部５１の高さｈを超えて移動できる間隔とすれば良い。ボタン部６５を破線で示す位置まで移動させると、第１の部材２１の先端部が破線で示す位置まで移動するので、第１と第２の部材２１，２２で把持したモジュール部品５を抜去工具２０から取り外すことができる。
【００４５】
以上、本出願を特にその好ましい実施の形態を参照して詳細に説明した。本出願の容易な理解のために、本出願の具体的な形態を以下に付記する。
【００４６】
（付記１）ケージに嵌合され、係止板でロックされたモジュール部品の、前記ケージから露出する部分に設けられた段差部に係合可能なフックを先端部に備える第１の部材と、
前記第１の部材と後端部で接続し、先端部には、前記フックが前記段差部に係合した時に前記モジュール部品と前記ケージの隙間に差し込まれ、前記係止板を押し上げてロックを外すブレードが設けられた第２の部材とを備え
前記フックが前記段差部に係合し、前記ブレードがロックを外した状態で前記第１の部材と前記第２の部材を前記ケージから離れる方向に移動させると、前記ケージから前記モジュール部品を外すことが可能なモジュール部品の抜去工具。
（付記２）  前記第１の部材と前記第２の部材は金属製の板状部材で一体的に形成されており、後端部はＵ字状に形成され、前記フックと前記ブレードは先端部において対向している付記１に記載のモジュール部品の抜去工具。
（付記３）  前記第１の部材と前記第２の部材は別体の金属製の板状部材であり、後端部においてスペーサを用いて結合されており、前記フックと前記ブレードは先端部において対向している付記１に記載のモジュール部品の抜去工具。
（付記４）  前記ブレードの先端部には、前記係止板を押し上げてロックを解除することができる斜面が形成されている付記１から３の何れかに記載のモジュール部品の抜去工具。
（付記５）  前記第２の部材の後端部から先端部までの長さは、前記第１の部材の後端部から先端部までの長さよりも長く形成されており、
前記モジュール部品には前記係止板でロックされる係止突起が設けられており、
前記第１の部材と前記第２の部材の長さの差は、前記モジュール部品の前記ケージへの挿入方向における前記段差部から前記係止突起の端部までの長さよりも短い付記１から４の何れかに記載のモジュール部品の抜去工具。
【００４７】
（付記６）  前記第１の部材と前記第２の部材は可撓性を備えている付記１から５の何れかに記載のモジュール部品の抜去工具。
（付記７）  前記第１の部材と前記第２の部材の後端部における間隔は、前記第１の部材と前記第２の部材の先端部における間隔よりも小さく形成されており、
前記ブレードを前記隙間に差し込んだ状態で、前記第１の部材と前記第２の部材の先端部の間隔を縮めることにより、前記フックを前記段差部に係合させる付記６に記載のモジュール部品の抜去工具。
（付記８）  前記第１の部材と前記第２の部材の後端部側には、前記第１の部材と前記第２の部材の外側を周回するリングが移動自在に取り付けられており、前記リングを前記先端部側に移動させることにより、前記第１の部材と前記第２の部材の先端部の間隔を縮めることが可能な付記７に記載のモジュール部品の抜去工具。
（付記９）  前記第１の部材と前記第２の部材は平行に形成されており、
前記ブレードを前記隙間に差し込んでいくと、前記モジュール部品の形状により、前記第１の部材の先端部と前記第２の部材との間隔が広がり、前記フックが前記段差部に係合する付記６に記載のモジュール部品の抜去工具。
（付記１０）  前記第１の部材と前記第２の部材の間には、前記第２の部材側から押圧することにより前記第１の部材と前記第２の部材の先端部の間隔を広げることができるリリース部材が設けられている付記９に記載のモジュール部品の抜去工具。
【００４８】
（付記１１）  前記リリース部材は、前記第１の部材に固着される取付部と、前記取付部の両端部から前記第２の部材側に延伸された側壁部と、前記第２の部材の前記第１の部材の反対側において前記側壁部の先端部同士を接続する押圧部とを備え、
前記押圧部と前記第２の部材との間隔は、前記押圧部を前記第１の部材を撓ませて前記第２の部材に接近させた時に、前記フックが前記段差部との係合を解除する位置まで移動できる間隔である付記１０に記載のモジュール部品の抜去工具。
（付記１２）  前記リリース部材は、前記第１の部材に突設され、前記第２の部材に設けられた貫通孔を挿通して前記第２の部材から先端部が突出するロッドと、前記ロッドの先端部に設けられたボタン部とを備え、
前記ボタン部と前記第２の部材との間隔は、前記ボタン部を前記第１の部材を撓ませて前記第２の部材に接近させた時に、前記フックが前記段差部の高さを超えて移動できる間隔である付記１０に記載のモジュール部品の抜去工具。
（付記１３）  前記リリース部材は、先端部が前記第２の部材に設けられた貫通孔を挿通して前記第１の部材に接し、後端部が前記第２の部材から突出するロッドと、前記ロッドの後端部に設けられたボタン部と、前記ボタン部を前記第２の部材から離れた位置に保持する弾性部材とを備え、
前記ボタン部と前記第２の部材との間隔は、前記ボタン部を前記第１の部材を撓ませて前記第２の部材に接近させた時に、前記フックが前記段差部の高さを超えて移動できる間隔である付記１０に記載のモジュール部品の抜去工具。
（付記１４）  前記リリース部材は、前記第１と第２の部材の先端部から後端部までの長さを二等分する位置に設けられている付記１０から１３の何れかに記載のモジュール部品の抜去工具。
（付記１５）  前記第１と第２の部材の間の空間の両側に、基部が前記第１と第２の部材の後端部に接続し、先端部が前記第１と第２の部材の先端部に届き、前記ブレードを前記隙間に差し込む際のガイドとなるガイド部材が設けられており、
前記ガイド部材の間隔は、前記ケージに嵌合されて前記ケージから露出する前記モジュール部品の幅と同程度であり、前記フックと前記ブレードの前記モジュール部品の把持動作を妨げない間隔である付記１から１４の何れかに記載のモジュール部品の抜去工具。
【００４９】
（付記１６）  前記第１と第２の部材の間の空間の両側に、基部が前記第１と第２の部材の後端部に接続し、先端部が前記第１と第２の部材の先端部に届き、前記ブレードを前記隙間に差し込む際のガイドとなるガイド部材が設けられており、
前記ガイド部材の間隔は、前記ケージに嵌合されて前記ケージから露出する前記モジュール部品の幅と同程度であり、前記ガイド部材の把持動作を妨げない間隔であり、
前記リリース部材の前記押圧部の前記第２の部材の長手方向に直交する方向の長さは、前記取付部の前記第１の部材の長手方向に直交する方向の長さよりも長く、前記側壁部は前記ガイド部材と前記第２の部材の間の隙間を通っており、
前記押圧部を前記第２の部材に接近させた時に、前記側壁部により対向する前記ガイド部材の間隔が広がる付記１１に記載のモジュール部品の抜去工具。
【符号の説明】
【００５０】
１    第１の電子機器
２    第２の電子機器
３    スイッチユニット
４    ケージ
５    モジュール部品
９    リング
１０    レバー装置
１３    ロック解除レバー
１４    スライドロッド
１５    テーパ部
２０    抜去工具
２１    第１の部材
２２    第２の部材
２３    フック
２４    ブレード
３０    リリース部材
３１    押圧部
３２    側壁部
３３    取付部
３５    ストッパ
４２    係止突起嵌合孔
４３    係止板
５１    段差部
５２    係止突起
【図１】
2017127950.tif 000003
【図２】
2017127950.tif 000004
【図３】
2017127950.tif 000005
【図４】
2017127950.tif 000006
【図５】
2017127950.tif 000007
【図６】
2017127950.tif 000008
【図７】
2017127950.tif 000009
【図８】
2017127950.tif 000010
【図９】
2017127950.tif 000011
【図１０】
2017127950.tif 000012
【図１１】
2017127950.tif 000013
【図１２】
2017127950.tif 000014
【図１３】
2017127950.tif 000015
【図１４】
2017127950.tif 000016
【図１５】
2017127950.tif 000017
【図１６】
2017127950.tif 000018
【図１７】
2017127950.tif 000019
【図１８】
2017127950.tif 000020
【図１９】
2017127950.tif 000021
【図２０】
2017127950.tif 000022
【図２１】
2017127950.tif 000023
【図２２】
2017127950.tif 000024